(57)【要約】  振動型センサアセンブリ(200)が提供される。振動型センサアセンブリ(200)は、ワンピース型導管取付け具(205)を含む。ワンピース型導管取付け具(205)は、入口ポート(206)、出口ポート(208)及び入口ポート(206)から出口ポート(208)に延びる導管支持ベース(210)を含む。振動型センサアセンブリ(200)は更に、クロスオーバー部(213)によって分離される２つ以上のループ(204A、204B)を備えた１つの流体導管(203)を備え、クロスオーバー部(213)は、ワンピース型導管取付け具(205)に連結されている。
2015529831.tif 000002
【特許請求の範囲】
【請求項１】
振動型センサアセンブリ(200)用のワンピース型導管取付け具(205)であって、
入口ポート(206)と、
出口ポート(208)と、
入口ポート(206)から出口ポート(208)に延びる導管支持ベース(210)と、
該導管支持ベース(210)から延びる第１及び第２の支持ブロック(211、212)を備える、ワンピース型導管取付け具(205)。
【請求項２】
前記第１及び第２の支持ブロック(211、212)はテーパ付けられて、対応するポートに対向する端部は第１の厚みｔ１を有し、他の支持ブロックに対向する端部は第２の厚みｔ２を有し、ｔ２はｔ１よりも小さい、請求項１に記載のワンピース型導管取付け具(205)。
【請求項３】
更に、連結固定具を受け入れる大きさ及び形状である１以上の開口(440)を備える、請求項１に記載ワンピース型導管取付け具(205)。
【請求項４】
振動型センサアセンブリ(200)であって、
入口ポート(206)、出口ポート(208)及び入口ポート(206)から出口ポート(208)に延びる導管支持ベース(210)を含むワンピース型導管取付け具(205)と、
クロスオーバー部(213)によって分離される２つ以上のループ(204A、204B)を備え、ワンピース型導管取付け具(205)に連結された１つの流体導管(203)とを備える、振動型センサアセンブリ(200)。
【請求項５】
前記クロスオーバー部(213)は、前記導管支持ベース(210)に連結されている、請求項４に記載の振動型センサアセンブリ(200)。
【請求項６】
更に、前記導管支持ベース(210)から延びる第１及び第２の支持ブロック(211、212)を備える、請求項４に記載の振動型センサアセンブリ(200)。
【請求項７】
２つ以上のループ(204A、204B)の第１のループ(204A)は、第１及び第２の支持ブロック(211、212)の第１側に連結され、２つ以上のループ(204A、204B)の第２のループ(204B)は、第１及び第２の支持ブロック(211、212)の第２側に連結される、請求項６に記載の振動型センサアセンブリ(200)。
【請求項８】
更に、入口ポート(206)に連結された入口導管部(207)を備える、請求項４に記載の振動型センサアセンブリ(200)。
【請求項９】
更に、出口ポート(208)に連結された出口導管部(209)を備える、請求項４に記載の振動型センサアセンブリ(200)。
【請求項１０】
更に、流体導管(203)を少なくとも部分的に囲むケース(500)を備える、請求項４に記載の振動型センサアセンブリ(200)。
【請求項１１】
振動型センサアセンブリを形成する方法であって、
１つの流体導管を２以上のループに形成する工程と、
クロスオーバー部を用いて２以上のループを分離する工程と、
ワンピース型導管取付け具をクロスオーバー部に連結する工程を含み、
前記ワンピース型導管取付け具は入口ポート、出口ポート及び入口ポートから出口ポートに延びる導管支持ベースを含む、方法。
【請求項１２】
前記連結する工程は、前記クロスオーバー部を前記導管支持ベースに連結する工程を含む、請求項１１に記載の方法。
【請求項１３】
前記ワンピース型導管取付け具は、第１及び第２の支持ブロックを含み、前記連結する工程は、
２つ以上のループの第１のループを、第１及び第２の支持ブロックの第１側に連結する工程と、
２つ以上のループの第２のループを、第１及び第２の支持ブロックの第２側に連結する工程を有する、請求項１１に記載の方法。
【請求項１４】
前記連結する工程は、入口導管部を前記ワンピース型導管取付け具の入口ポートに連結し、出口導管部を前記ワンピース型導管取付け具の出口ポートに連結する工程を含む、請求項１１に記載の方法。
【請求項１５】
更に、流体導管の少なくとも一部をケースで囲む工程を有する、請求項１１に記載の方法。
【発明の詳細な説明】
【技術分野】
【０００１】
下記の実施形態は、振動型センサアセンブリに関し、特にワンピース型導管取付け具の上に取り付けられた振動型センサアセンブリに関する。
【背景技術】
【０００２】
コリオリ質量流量計（フローメータ）および振動型デンシトメータの如き振動型流体センサは、一般的に、流動物質を収容している振動する導管の運動を検出することにより作動するようになっている。質量流量、密度などの如き導管内の物質に関する物性は、導管に接続されている運動トランスデューサから受け取る測定信号を処理することにより求めることができる。物質を充填した振動システムの振動モードは、収容している導管およびその導管に収容されている物質の質量、剛性およびダンピング特性を組み合わせたものに影響されるのが一般的である。
【０００３】
典型的な振動型流量計は、パイプラインまたは他の移送システムにインラインで接続されているとともに、システム内のたとえば流体、スラリー、エマルジョンなどの物質を移送する１つ以上の導管を有している。各導管は、たとえば単純曲げモード、ねじれモード、ラジアルモードおよび結合モードを含む一組の固有の振動モードを有していると考えることができる。コリオリ式質量流量測定の典型的な用途では、物質が導管を流れている時に、導管が１つ以上の振動モードで励振され、導管の運動が、導管の間隔をおいて位置する複数の部位で測定される。励振は、通常、導管を周期的に摂動するボイスコイルタイプのドライバの如き電気機械デバイスのようなアクチュエータによって加えられる。質量流量については、複数のトランスデューサ設置位置での振動と振動との間の遅延時間または位相差を測定することによって決定される。このようなトランスデューサ（または、ピックオフセンサ）は、通常２つ用いられて１つ以上のフロー導管の振動応答が測定され、通常アクチュエータの上流側および下流側に配置される。これらの２つのピックオフセンサは２つの独立した一対のワイヤのようなケーブルによって電子計装装置に接続される。電子計装装置は、２つのピックオフセンサから信号を受け取り、これらの信号を処理してたとえば質量流量測定値などを算出する。
【０００４】
１つのタイプの振動型流量計は、質量流量を計測するのにシングルループで、流路が直列の導管を用いる。しかし、シングルループで、流路が直列の導管を使用することは、固有の不利な点があり、それは流路が不均衡であり、且つ他のタイプのメーターより大きな程度まで外部振動によって影響されることである。シングルループで直列流れのコリオリ質量流量計、１つの湾曲した導管、又は固定取付け部からの片持ち梁方法で伸びるループを有する。流量計は、流れ導管の隣に位置する剛体構造を含んでいなければならず、流量計は該剛体構造に対して振動する。剛体構造の使用は多くの産業分野において非実用的である。
【０００５】
別の先行技術アプローチは二重ループで、並列の導管構成を使用する。二重ループで、並列の導管構成の流量計は、平衡であり、また、密度の変化は並列の流れ導管の両方に略等しくに影響する。
並列の流れ導管は互いに反対に振動するように駆動されて、１つの流れ導管の振動力は他の流れ導管の振動力と相殺する。従って、多くの用途では、二重ループで並列の導管構成は望ましい。しかしながら、流れが２つの並列の導管フロー・コンジット間で分離しているので、流れ導管の各々は接続しているパイプラインより小さい。これは低流の用途には問題かもしれない。
特に、二重ループで、並列の導管の流量計が小さくなれば、並列の導管の流量計は閉塞しがちであり、流れ導管間の流れを分割するマニホールドはより高い圧力低下に帰着する。
上記の問題は、二重ループで直列の流路の流量計の使用により解決することができる。二重ループで直列の流路の流量計は、シングルループの流量計及び二重ループで直列の流路の流量計の利点を結合する。
【０００６】
図1は、先行技術の二重ループで直列の流路の流量計１００の一部を示す。流量計１００は、米国特許第6,044,715号に示されて詳細に記載され、全ての開示は参照を以て本願への記載加入とする。流量計１００はハウジング１０２内に含まれる１つの導管１０１を含む。流れ導管１０１は２つのループ１０３、１０４を含み、それらは、互いに平行な面内にある。ループ１０３および１０４はドライバー１１０によって加えられた信号に応じて振動する。ピックオフ１１１および１１１‘は、ループ１０３、１０４の運動を検知して、様々な流体特性を決定することができる。ループ１０３および１０４はクロスオーバー部１０５にて一緒に連結される。クロスオーバー部１０５は、２つのループを連結して、連続的な流れ導管１０１を形成する。
２つのループ１０３および１０４とともにクロスオーバー部１０５はアンカー１０６を使用して、接続され固定される。アンカー１０６はハウジング１０２にピン１０７を使用して連結されるが、外部振動は、流れ導管１０１(ブレースバー１０８および１０９上の)の振動部によってまだ受けられる。さらに、示されるように、クロスオーバー部１０５は単に自由に掛かっていて、どんな方法でも支持されていない。クロスオーバー部１０５の長さが長くなると、支持がないことが問題となり、クロスオーバー部１０５が歪みを受けると、誤った測定に帰着する。
【０００７】
従って、先行技術の二重ループで直列の流路の流量計は、いくつかの状況にて適切な流量計を提供するが、クロスオーバー部によりよい支持をすると同様にピックオフが受ける外部振動をさらに制限する必要がまだある。以下の実施形態は、これらおよび他の問題を克服し、技術分野における進歩が提供される。
下記の実施形態は、ワンピース型導管支持に取り付けられた二重ループで直列の流路の流量計を提供する。ワンピース型導管支持は導管のクロスオーバー部を適切に支持し、一方、流れ導管のピックオフが受ける外部振動を最小にする。従って、より正確な流量がより多様な環境の中で決定され得る。
【発明の概要】
【課題を解決するための手段】
【０００８】
一実施形態に従って、振動型センサアセンブリ用のワンピース型導管取付け具が提供される。ワンピース型導管取付け具は入口ポートおよび出口ポートを含む。実施形態に従って、ワンピース型導管取付け具は、更に入口ポートから出口ポートに延びる導管支持ベースを備える。実施形態に従って、ワンピース型導管取付け具は、更に導管支持ベースから延びる第１及び第２の支持ブロックを含む。
振動型センサアセンブリは、実施形態に従って提供される。振動型センサアセンブリは、入口ポート、出口ポート及び入口ポートから出口ポートに延びる導管支持ベースを含むワンピース型導管取付け具を備える。実施形態に従って、振動型センサアセンブリは更に、クロスオーバー部によって分離される２つ以上のループを備えた１つの流体導管を備え、該流体導管はワンピース型導管取付け具に連結されている。
【０００９】
一実施形態に従って、振動型センサアセンブリを形成する方法が提供される。方法は、１つの流体導管を２以上のループに形成する工程を含む。方法は更に、クロスオーバー部を用いて２以上のループを分離する工程を含む。一実施形態に従って、方法は更に、ワンピース型導管取付け具をクロスオーバー部に連結する工程を含み、ワンピース型導管取付け具は入口ポート、出口ポート及び入口ポートから出口ポートに延びる導管支持ベースを含む。
【００１０】
態様
一態様に従って、振動型センサアセンブリ用のワンピース型導管取付け具であって、
入口ポートと、
出口ポートと、
入口ポートから出口ポートに延びる導管支持ベースと、
導管支持ベースから延びる第１及び第２の支持ブロックを備える。
第１及び第２の支持ブロックはテーパ付けられ、対応するポートに対向する端部は第１の厚みｔ１を有し、他の支持ブロックに対向する端部は第２の厚みｔ２を有し、ｔ２はｔ１よりも小さいのが好ましい。
ワンピース型導管取付け具は更に、連結固定具を受け入れる大きさ及び形状である１以上の開口を備える。
【００１１】
他の態様に従って、振動型センサアセンブリは、
入口ポート、出口ポート及び入口ポートから出口ポートに延びる導管支持ベースを含むワンピース型導管取付け具と、
クロスオーバー部によって分離される２つ以上のループを備え、ワンピース型導管取付け具に連結された１つの流体導管とを備える。
クロスオーバー部は、導管支持ベースに連結されているのが好ましい。
振動型センサアセンブリは更に、導管支持ベースから延びる第１及び第２の支持ブロックを備えるのが好ましい。
２つ以上のループの第１のループは、第１及び第２の支持ブロックの第１側に連結され、２つ以上のループの第２のループは、第１及び第２の支持ブロックの第２側に連結されるのが好ましい。
振動型センサアセンブリは更に、入口ポートに連結された入口導管部を備えるのが好ましい。
振動型センサアセンブリは更に、出口ポートに連結された出口導管部を備えるのが好ましい。
振動型センサアセンブリは更に、流体導管を少なくとも部分的に囲むケースを備えるのが好ましい。
【００１２】
他の態様に従って、振動型センサアセンブリを形成する方法は、
１つの流体導管を２以上のループに形成する工程と、
クロスオーバー部を用いて２以上のループを分離する工程と、
ワンピース型導管取付け具をクロスオーバー部に連結する工程を含み、ワンピース型導管取付け具は入口ポート、出口ポート及び入口ポートから出口ポートに延びる導管支持ベースを含む。
連結する工程は、クロスオーバー部を導管支持ベースに連結する工程を含むのが好ましい。
ワンピース型導管取付け具は、第１及び第２の支持ブロックを含むのが好ましく、連結する工程は、
２つ以上のループの第１のループを、第１及び第２の支持ブロックの第１側に連結する工程と、
２つ以上のループの第２のループを、第１及び第２の支持ブロックの第２側に連結する工程を有するのが好ましい。
連結する工程は、入口導管部をワンピース型導管取付け具の入口ポートに連結し、出口導管部をワンピース型導管取付け具の出口ポートに連結する工程を含むのが好ましい。
方法は更に、ケースにて流体導管を少なくとも部分的に囲む工程を含むのが好ましい。
【図面の簡単な説明】
【００１３】
【図１】図１は、従来の二重ループで直列の流路の流量計を示す。
【図２】図２は、一実施形態に従った振動型流量計を示す。
【図３】図３は、一実施形態に従った流体導管の平面図を示す。
【図４】図４は、一実施形態に従った導管支持ベースに連結された流体導管の入口部を示す。
【図５】図５は、一実施形態に従ったセンサアセンブリを示す。
【発明を実施するための形態】
【００１４】
図２−図５及び以下の記述は特定の例を記載して、振動型流量計の実施形態の最良のモードを作り使用する方法を当業者に開示する。進歩性を有する原理を開示する目的で、いくつかの従来の態様は単純化されたか省略された。
当業者は、これらの例示から現在の記述の範囲以内にある変形例を理解するだろう。当業者は、下記に述べられた特徴が種々の方法で組み合わされて、振動型流量計の多数の変形例を形成することを理解するだろう。その結果、下記に述べられた実施形態は、下記に述べられた特定の例にではなく特許請求の範囲とそれらの等価物によってのみ限定される。
【００１５】
図1は実施形態に従った、振動型流量計５を示す。振動型流量計５は、センサアセンブリ２００及びメータ電子機器２０を含む。センサアセンブリ２００及びメータ電子機器２０は、互いにリード１０によって電気的に繋がっている。振動型流量計５はコリオリ流量計として構成されている。しかし、振動型流量計はコリオリ流量計の測定能力を欠く、他のタイプのセンサを含んでもよいことは当業者は容易に理解するだろう。例えば、振動型流量計５は例えば振動型デンシトメータ、振動型容積測定流量計が使用されてもよい。従って、以下の記載はコリオリ流量計に関するが、実施形態は全く限定されない。
【００１６】
実施形態に従って、センサアセンブリ２００は１つの流体導管２０３を備え、該導管は２つ以上のループ２０４Ａ、２０４Ｂを形成して、二重ループで直列の流路のセンサアセンブリを生成する。従って、２つのループ２０４Ａ、２０４Ｂが図に示され記載されるが、センサアセンブリ２００は２以上のループを含んでもよく、それは以下の請求の範囲内にある。実施形態によれば、流体導管２０３はワンピース型導管取付け具２０５に取り付けられる。理解されるように、流体導管２０３及びワンピース型導管取付け具２０５は使用時にケース(図５)によって囲まれる。ワンピース型導管取付け具２０５は１か所以上にて流体導管２０３に連結される。例えば、ワンピース型導管取付け具２０５は流体パイプライン(図示せず)に連結される入口ポート２０６を含む。流体導管２０３の入口導管部２０７は、入口ポート２０６によって受け入れられる。ワンピース型導管取付け具２０５はまた、パイプラインに連結され出口導管部２０９を受け入れる出口ポート２０８を備える。
実施形態に従って、入口及び出口導管部２０７、２０９は入口及び出口ポート２０６、２０８に連結されて、流体密封の接続を形成する。更に、入口及び出口導管部２０７、２０９の一部は、ワンピース型導管取付け具２０５の導管支持ベース２１０に連結される(例えば、図４参照)。実施形態に従って、導管支持ベース２１０は、入口及び出口ポート２０６、２０８間をほぼ全体に延びる。導管支持ベース２１０は、流体導管２０３の種々の部分に対して適切な取付け面を付与する。
【００１７】
実施形態に従って、流体導管２０３は入口導管部２０７から第１のループ２０４Ａに向けて延びる。示された実施形態に従って、流体導管２０３が導管支持ベース２１０から上向きに延びて第１のループ２０４Ａを形成すると、流体導管２０３は第１の支持ブロック２１１に連結され得る。第１の支持ブロック２１１は導管支持ベース２１０に連結され、又は例えば導管支持ベース２１０の一体部を構成する。第１の支持ブロック２１１は、図面に示すように、導管支持ベース２１０から上向きに延びる。
流体導管２０３は、第１のループ２０４Ａを形成する第１の支持ブロック２１１から延びる。第１のループ２０４Ａは、第２の支持ブロック２１２にも連結されている。第１及び第２の支持ブロック２１２は、第１及び第２のループ２０４Ａ、２０４Ｂの支持を手助けし、ループの曲げ軸(図５参照)を定義することを補助する。第１及び第２の支持ブロック２１１、２１２はまた、第１及び第２のループの面Ｐ１、Ｐ２(図３参照)を位置決めするのに役立つ。実施形態に従って、流体導管２０３が第１のループ２０４Ａを出て、クロスオーバー部２１３に入るように、流体導管２０３は第２の支持ブロック２１２に連結される。実施形態に従って、クロスオーバー部２１３は、第１及び第２のループ２０４Ａ、２０４Ｂ間の遷移を提供する。
【００１８】
他の実施形態に従って、クロスオーバー部２１３は、ワンピース型導管取付け具２０５に連結される。特に、示される実施形態において、クロスオーバー部２１３は、導管支持ベース２１０に連結される。クロスオーバー部２１３は、ろう付け、溶接、機械的なファスナー、接着剤などの様々な方法を使用して、導管支持ベース２１０に連結される。クロスオーバー部２１３を導管支持ベース２１０に連結するのに用いられる特別な方法は、本願の目的には重要ではなく、以下の請求の範囲を全く限定しない。
実施形態に従って、クロスオーバー部２１３は、導管支持ベース２１０に複数の箇所にて連結される。理解されるように、クロスオーバー部１０５が自由に吊るされる従来技術の振動型流量計１００のアンカー１０６とは異なり、ワンピース型導管取付け具２０５はクロスオーバー部２１３に連結されて、クロスオーバー部２１３が適切に支持されることを確実にする。示されるように、クロスオーバー部２１３はワンピース型導管取付け具２０５の頂部(通常動作時)に連結されて、クロスオーバー部２１３の重量が導管支持ベース２１０によって支持される。従って、クロスオーバー部２１３が受ける振動やストレスは最小化される。更に、導管の支持２１３がワンピース型導管取付け具に形成されるから、ケース５００がパイプラインに取り付けられ、又はセンサアセンブリ２００がパイプラインに取り付けられるとき、受けるストレスは、流体導管２０３ではなく、導管取付け具２０５によって吸収される。
【００１９】
流体導管２０３がクロスオーバー部２１３から第２のループ２０４Ｂに延びるように、流体導管２０３は再び第１の支持ブロック２１１に結合される。しかし、流体導管２０３が第２のループ２０４Ｂに入るとき、流体導管２０３は第１の支持ブロック２１１の反対側に連結される。流体導管２０３が第２のループ２０４Ｂを作り、出口導管部２０９に向かって延びる。実施形態に従って、流体導管２０３が第２のループ２０４Ｂから出口導管部２０９に向かって遷移するように、流体導管２０３はまた第２の支持ブロック２１２に連結される。
【００２０】
流体導管２０３がワンピース型導管取付け具２０５に堅固に連結された状態で、ドライバ２２５は、第１及び第２のループ２０４Ａ、２０４Ｂを位相を反対にして曲げ軸Ｗ-Ｗ、Ｗ‘-Ｗ’の周りに振動させ(図５参照)、曲げ軸Ｗ-Ｗ、Ｗ‘-Ｗ’は少なくとも一部はブレースバー２２０-２２３によって定義される。ドライバ２２５はメータ電子機器２０からリード２３５を介して駆動信号を受信する。第１及び第２のループ２０４Ａ、２０４Ｂが振動するとき、動作は第１及び第２のピックオフセンサ２２６、２２６‘によって検出される。ピックオフ信号はリード２３６、２３６’を介してメータ電子機器２０に送信され、質量流量、体積流量率、密度、温度などの流体導管２０３内の流体の１以上の流体特性を決定する。
【００２１】
図３は、一実施形態に従った流体導管２０３の平面図を示す。図３にて、流体導管２０３はワンピース型導管取付け具２０５に連結される前を示す。見られるように、流体導管２０３は第１のループ２０４Ａに遷移する入口導管部２０７を含む。第１のループ２０４Ａの端部近くでは、流体導管２０３はクロスオーバー部２１３に遷移する。実施形態に従って、クロスオーバー部２１３は第１及び第２のループ２０４Ａ、２０４Ｂを結合する。
クロスオーバー部２１３は第１面Ｐ１から第２面Ｐ２に横断する。第２のループ２０４Ｂは、出口導管部２０９にて止まる。実施形態に従って、第１及び第２のループ２０４Ａ、２０４Ｂは、夫々平面Ｐ１、Ｐ２に略平行である。上記の如く、幾つかの実施形態にて、第１及び第２の支持ブロック２１１、２１２は、平面Ｐ１、Ｐ２の定義に役立つ。平行な面内に２つのループを付与することにより、２つのループ２０４Ａ、２０４Ｂは、互いに振動し、２つのループ２０４Ａ、２０４Ｂが直列な流路を構成しても、二重ループで平行な流路流量計として作用する。
【００２２】
図４は、実施形態に従ったセンサアセンブリ２００の一部を示す。図４にて導管支持ベース２１０に連結される入口導管部２０７がより良く示される。導管支持ベース２１０は２つの開口４４０を含む。開口４４０は流体導管２０３をワンピース型導管取付け具２０５に連結するのに用いられる固定具(図示せず)を受け入れるように配備される。
【００２３】
図５は、実施形態に従った他のセンサアセンブリ２００を示す。図５にて、ケース５００の一部が配備される。理解されるように、他の対応するケース部分は示される部分に連結されて流体導管２０３を全体的に囲む。
図５にて、導管支持ベース２１０がより良く示される。図５に見られるように、クロスオーバー部２１３は、第１及び第２の支持ブロック２１１、２１２の間を延びる。複数の開口４４０がワンピース型導管取付け具２０５に示され、該開口は流体導管２０３をワンピース型導管取付け具２０５に連結するのに用いられる連結固定具を受け入れるために配備される。
【００２４】
示された実施形態において、支持ブロック２１１、２１２はテーパ付けられて、クロスオーバー部２１３が第１面Ｐ１から第２面Ｐ２に変化することを受け入れる。
例えば、第２の支持ブロック２１２は出口ポート２０８に最も近い端部にて、第１の幅ｔ１を有し、第１の支持ブロック２１１に最も近い端部にて、第２の幅ｔ２を備えて示される。示される実施形態において、幅ｔ２は幅ｔ１より小さい。実施形態に従って、第１の支持ブロック２１１もテーパ付けられる。示される実施形態において、支持ブロック２１１、２１２はブレースバー２２０、２２１が曲げ軸Ｗ-Ｗ、Ｗ‘-Ｗ’を定義するのに役立つ。見られるように、図５に示す実施形態は、各端部に１つのブレースバー２２０、２２１のみを含む。従って、幾つかの実施形態にて、支持ブロック２１１、２１２は第２のブレースバーとして作用する。
【００２５】
図５には、ドライバとピックオフ要素がより詳細に示される。実施形態に従って、ドライバ２２５は、第１のループ２０４Ａに連結された第１のドライバ要素２２５Ａと、第２のループ２０４Ｂに連結された第２のドライバ要素２２５Ｂを備える。同様に、第１及び第２のピックオフセンサ２２６、２２６‘は夫々、第１のループ２０４Ａに連結された第１のピックオフセンサ要素２２６Ａ、２２６‘Ａと、第２のループ２０４Ｂに連結された第２のピックオフセンサ要素２２６Ｂ、２２６‘Ｂを備える。上記の如く、ドライバ２２５及びピックオフセンサ２２６、２２６‘は、マグネット/コイル結合を備え、これは当該技術分野又はループ２０４Ａ、２０４Ｂの振動と動作の検知ができる幾つかの他のタイプの構成にて一般的に知られている
【００２６】
上記の実施形態は、改善された複数のループで直列流路の振動型流量計を提供する。流体チューブの支持を複数の要素に分離する従来技術の流量計と異なり、上記の実施形態はワンピース型導管取付け具２０５を備える。ワンピース型導管取付け具２０５は、従来技術よりも流体導管のクロスオーバー部２１３に対し、より良い支持を付与する。クロスオーバー部２１３に対する更なる支持は歪み及びピックオフセンサ２２６、２２６‘が受ける外部振動を最小化することができる。
【００２７】
上記の実施形態の詳細な記述は、現在の記述の範囲内にある発明者によって熟考された全ての実施形態の完全な記述ではない。実際に当業者は、さらに実施形態を作成するために上記実施形態のある要素が種々に組み合わせられるかもしれないし除去されるかもしれないことを認識している、そしてそのような、さらなる実施形態は現在の記述の範囲及び開示の範囲内にある。
現在の記述の範囲及び開示の範囲内にある追加の実施形態を作成するために、上記実施形態の全部或いは一部が組み合わせられるかもしれないことも当業者には明白である。
したがって、特定の実施形態が説明の目的のためにここに記述されている、当業者が認識するように、様々な等価な修正は現在の記述の範囲内で可能である。ここに提供される開示は、他の流体測定システムに適用可能であり、上記に記載され添付の図面に示された実施形態だけではない。従って、上記の実施形態の範囲は、添付の特許請求の範囲から決定されるべきである。
【図１】
2015529831.tif 000003
【図２】
2015529831.tif 000004
【図３】
2015529831.tif 000005
【図４】
2015529831.tif 000006
【図５】
2015529831.tif 000007
【手続補正書】
【提出日】平成27年4月10日(2015.4.10)
【手続補正１】
【補正対象書類名】明細書
【補正対象項目名】０００６
【補正方法】変更
【補正の内容】
【０００６】
図1は、先行技術の二重ループで直列の流路の流量計１００の一部を示す。流量計１００は、米国特許第6,332,367号に示されて詳細に記載され、全ての開示は参照を以て本願への記載加入とする。流量計１００はハウジング１０２内に含まれる１つの導管１０１を含む。流れ導管１０１は２つのループ１０３、１０４を含み、それらは、互いに平行な面内にある。ループ１０３および１０４はドライバー１１０によって加えられた信号に応じて振動する。ピックオフ１１１および１１１‘は、ループ１０３、１０４の運動を検知して、様々な流体特性を決定することができる。ループ１０３および１０４はクロスオーバー部１０５にて一緒に連結される。クロスオーバー部１０５は、２つのループを連結して、連続的な流れ導管１０１を形成する。
２つのループ１０３および１０４とともにクロスオーバー部１０５はアンカー１０６を使用して、接続され固定される。アンカー１０６はハウジング１０２にピン１０７を使用して連結されるが、外部振動は、流れ導管１０１(ブレースバー１０８および１０９上の)の振動部によってまだ受けられる。さらに、示されるように、クロスオーバー部１０５は単に自由に掛かっていて、どんな方法でも支持されていない。クロスオーバー部１０５の長さが長くなると、支持がないことが問題となり、クロスオーバー部１０５が歪みを受けると、誤った測定に帰着する。
【国際調査報告】
2015529831.tif 000008
2015529831.tif 000009